(57)【特許請求の範囲】
【請求項１】
床面と天井ボードの間仕切り位置に配設する断面コ字型の床ランナーおよび天井ランナーと、下端を前記床ランナーの前後幅と同一厚さに形成し、上端には上記天井ランナーの前後幅と略同じ直径で回転により昇降可能とされている昇降具が取り付けられた間仕切りボードと、前記間仕切りボードの正面側下端付近で前記床面に接して取り付け、取り外し可能な幅木とを備えた間仕切り装置において、前記間仕切りボードは左右側端に隣接する間仕切りボードとの結合手段を有し、前記間仕切りボードと前記天井ボードとの間には一方の面に前記間仕切りボードの正面上端を隠蔽する垂下部を有する台輪が取り付け、取り外し可能に配設され、さらに前記垂下部には前記垂下部と直交するジョイント部が設けられ、前記ジョイント部は前記間仕切りボード表面に設けられている切込みに挿着されていることを特徴とする間仕切り装置。
【請求項２】
前記結合手段は、係止片と係止孔よりなることを特徴とする請求項１に記載の間仕切り装置。
【発明の詳細な説明】
【０００１】
【発明の属する技術分野】
本発明は、内装が施されていないマンション住宅の間仕切りや、マンション住宅の間取り変更の改修、すなわち、リホームなどに用いられる間仕切り装置とその組立方法に関する。
【０００２】
【従来の技術】
従来から工場やオフィス等においては簡単に空間を間仕切りができる装置として、所定の間隔ごとに上下方向に伸長する装置を上端に備えた柱を立て、この柱間に間仕切りボードを取付けて、簡単に室内を間仕切る間仕切り装置が用いらてきた。
【０００３】
このような間仕切りパネルによる間仕切り装置は、間仕切りパネルの上側と下側に空間が存在し、この空間から隣室での話し声や雑音が聞こえたりするために、住宅で用いられると静寂が失われる、あるいは、煙などの悪化した空気の流入などがあったりする等の問題点が指摘されていた。
【０００４】
一方では近来、マンションなどで内部の間取りなどを施工せずに、購入者の意思に基づいて間取りを施工したり、あるいは、リホームなどで間取りを容易に変更できるような間仕切り装置が用いた施工が行われるようになってきたが、その一例を図１０、図１１に示し、以下これを説明する。
【０００５】
図１０は間仕切りパネルの上側に空間を生じさせないために、一側が開口しているランナー２を間仕切りパネル１の上端付近の一面に取付け、天井パネル３の側端をランナー２の開口に差し込んで天井パネル３を取付けるものである。なお、５はクロスである。
【０００６】
図１１は間仕切りパネル１の上端に取付けた幅木４で天井パネル３を下から支えるようにしたもので、これらはいずれも室内面にクロス５等を貼り、これらの接合部分が見えないようにしている。
【０００７】
【発明が解決しようとする課題】
このような従来の間仕切り装置においては、室内面側にクロス５などを貼っているために再度間取り変更をする場合にはクロス５を剥がしたり、ランナー２や幅木４を取り外すなどで間仕切りパネル１が再使用できなくなり、間取り変更の費用が高くつき、工期も長くなる問題点があった。
【０００８】
本発明は、従来の間仕切り装置の前述の問題点を解決し、間仕切りパネルの取付けが簡単に行えると共に床や天井に傷つける恐れもなく、間取り変更に際しても再び使用でき、現場での仕上げ材を施工する必要がない間仕切り装置を提供することを目的とする。
【０００９】
【発明が解決しようとする課題】
本発明は前述の目的を達成するための間仕切り装置の手段に関し、その手段は、床面と天井ボードの間仕切り位置に配設する断面コ字型の床ランナーおよび天井ランナーと、下端を前記床ランナーの前後幅と同一厚さに形成し、上端には上記天井ランナーの前後幅と同じ直径で回転により昇降可能とされている昇降具が取り付けられた間仕切りボードと、前記間仕切りボードの正面側下端付近で前記床面に接して取り付け、取り外し可能な幅木とを備えた間仕切り装置において、前記間仕切りボードは左右側端に隣接する間仕切りボードとの結合手段を有し、前記間仕切りボードと前記天井ボードとの間には一方の面に前記間仕切りボードの正面上端を隠蔽する垂下部を有する台輪が取り付け、取り外し可能に配設され、さらに前記垂下部には前記垂下部と直交するジョイント部が設けられ、前記ジョイント部は前記間仕切りボード表面に設けられている切込みに挿着されていることを特徴とする。
【００１０】
又、本発明においては、前記間仕切りボードとの結合手段を、係止片と係止孔の具体的な結合手段としてもよい。かかる手段により、隣接する間仕切りパネル相互の密着接続が実現でき、間仕切り変更の際には間仕切りパネルを傷つけることなく簡単に分離できる。
【００１１】
【発明の実施の形態】
次に本発明の実施の形態を、図１〜図８について以下に説明する。
図１に側面で示した本実施の形態の間仕切りボード１０は、ボード基枠１０１の前後両面に表面板１０２を固定したものである。
【００１２】
この間仕切りボード１０の床面側を支承する床ランナー１１はアルミ材、プラスチック材等で断面コ字型に成型されており、コ字型の前後両片の間にある中間片が床材１２にゴムダンパー１３を介して固定される。
【００１３】
前記ボード基枠１０１の下端側は床ランナー１１の前後幅と同一幅に形成されていて、これを床ランナー１１内に挿入した場合に、間仕切りボード１０の下端が前後に動揺しないようになっている。
【００１４】
又、間仕切りボード１０の天井側を支承する天井ランナー１４もアルミ材やプラスチック材などで断面コ字型に形成され、床ランナー１１の真上の天井ボード１５に開口面を下側にしてパッキン１６を介在させて取付けられる。
【００１５】
間仕切りボード１０の高さは天井ランナー１４と床ランナー１１間の隙間寸法と略同一に作られていて、間仕切りボード１０の上端面にはナット１７が取付けられていて、直径を天井ランナー１４の前後片の間隔と略同一外径とした円錐板１８が取付けられたボルト１９がこのナット１７に螺合している。
【００１６】
間仕切りボード１０の一方の片側の端面には頂面が拡大傾斜している図４の係合片２０が小径部を連結板２１側として等間隔に設けた連結板２１が、更には間仕切りボード１０の反対側の端面には下側が前記係合片２０の頂部を挿入できる大きさで、その上側が係合片２０の根元側に係入できる幅に狭くなっている係止孔２２を係合片２０と同間隔で設けた被連結板２２aが取付けられている。
【００１７】
そして、既に固定されている間仕切りボード１０の一側端の連結板２１の前記係合片２０に対して新設する間仕切りボード１０の係止孔２２を、下側の幅が大きい部分から挿入し、次にこの間仕切りボード１０を下降させて係止孔２２の上側の幅が狭い部分に係合片２０を挿入し、既に設置されている間仕切りボード１０同志を結合させる。
【００１８】
この動作で新設する間仕切りボード１０の下端側の厚さの薄い部分が床ランナー１１に嵌入して床ランナー１１に係止され、次に間仕切りボード１０の上端面のナット１７を回転させて円錐板１８を天井ランナー１４内に上昇させることで円錐板１８を天井ランナー１４に接触させて固定し、間仕切りボード１０を床ランナー１１と天井ランナー１４間に新設する間仕切りボード１０を固定して取り付ける。
【００１９】
このようにして順次に床ランナー１１と天井ランナー１４間に間仕切りボード１０を連結固定したのちに、中空構造で一方の面には垂下部２３１が設けられた台輪２３によって垂下部２３１が間仕切りボード１０の表面板１０２の上端側を隠蔽するように取付ける。
【００２０】
この際に台輪２３と天井ボード１５との間、および表面板１０２と台輪２３間にはパッキン２４を介在させ、隙間の防止と台輪２３の抜け落ちを防ぐようにしている。
【００２１】
上記に変えて図８のように垂下部２３１と直交するジョイント部２３２を連接し、このジョイント部２３２を表面板１０２に設けた切り込みに挿着し、若しくはパッキンの併用で台輪２３を取付ける。
【００２２】
更に、間仕切りボード１０の幅と同じ幅で幅木２５の背面に縦条２６を突設し、これを連結板２１、２３の接合部に設けた隙間２７に挿着して表面板１０２の下側と床材１２との間隙を塞ぎ、或いは隙間がないように幅木２５を表面板１０２に釘などで打ちつけて表面板１０２と床材１２を密着させる。
【００２３】
このような釘などの締着手段を用いるのは前記の表面板１０２と幅木２５だけであり、その他の部分は釘などによる締着手段が用いられておらず、台輪２３はパッキン２４の弾性圧着力、ジョイント部２３２は連結部２１、２３が挟み付ける力で固定されている。
【００２４】
従って、強く押せば台輪２３は取り外しでき、各間仕切りボード１０もナット１７の回転で円錐板１８を下降させることで隣接の間仕切りボード１０に対してこの間仕切りを持ち上げ、間仕切り１０同志の結合と床ランナー１１、天井ランナー１４から取り外すことができる。
【００２５】
そのため、間仕切り変更などでの分解に際して、間仕切りボード１０やその他の各部を傷めることがなく、更に間仕切りの新設に際しても工場で生産された部材を現場で組み立てるだけなので、工期の短縮、個別生産のような生産費用の高さがなく、安易にマンションや木造住宅などの間仕切りに使用できるものである。
【００２６】
【発明の効果】
本発明は前記したように、、間仕切りボード、床ランナー、天井ランナー、その他の各部が工場で生産され、現場では加工を行うことなしに組付けだけを行えばよいので、完成されている屋内での間仕切り作業に好適であり、工期の短縮や生産コストの引下げが可能である。
【００２７】
そして、順次に間仕切りボードを組付けてゆくだけなので現場での組付け作業が容易であり、間仕切りボードその他に傷をつける恐れがなく、更に間取り変更に際して分解する場合にも、釘などの締着手段が極めて少ない部分でのみ使用されることがあるだけなので、各部の再利用が可能となり、短い工期で廉価に行うことが可能となる等の利点を有するものである。
【図面の簡単な説明】
【図１】本発明の実施の形態の工程途中の側面図である。
【図２】間仕切りボードに取付ける被連結板の正面図である。
【図３】間仕切りボードに取付ける連結板の上面図である。
【図４】上記の連結板に取付ける係合片の斜視図である。
【図５】隣接の間仕切りボードの結合状態の平面図である。
【図６】同上の正面図である。
【図７】幅木の断面図である。
【図８】台輪の正面図である。
【図９】その取付け状態の側面図である。
【図１０】従来の間仕切り装置の天井との連結部分の断面図である。
【図１１】従来の他の間仕切り装置の天井との連結部分の断面図である。
【符号の説明】
１０        間仕切りボード
１１        床ランナー
１２        床材
１４        天井ランナー
１５        天井ボード
１７        ナット
１８        円錐板
１９        ボルト
２０        係合片
２２        係止孔
２３        台輪
２５        幅木
【図１】
0003633470.tif 000002
【図２】
0003633470.tif 000003
【図３】
0003633470.tif 000004
【図４】
0003633470.tif 000005
【図５】
0003633470.tif 000006
【図６】
0003633470.tif 000007
【図７】
0003633470.tif 000008
【図８】
0003633470.tif 000009
【図９】
0003633470.tif 000010
【図１０】
0003633470.tif 000011
【図１１】
0003633470.tif 000012